(57)【要約】【課題】  記録材の排紙後の排紙トレイ上で記録材同士の貼り付きや貼り付きに伴う記録材の落下のトラブルを未然に防止する画像形成装置を提供することを目的とする。【解決手段】  排紙トレイに積載された記録材の温度を検知する温度検知手段と、排紙トレイ上に積載された記録材の積載量を検知する積載量検知手段において、スループット制御手段でスループットを制御と定着装置温度制御手段で定着装置の温度を制御することによって上記課題を解決する。【選択図】  図３
2008116799.tif 000002
【特許請求の範囲】
【請求項１】
画像形成手段で記録材上に画像形成された画像を熱で定着する定着装置と、前記定着装置で定着された後に排出された記録材を積載する排紙トレイとを備えた画像形成装置において、前記排紙トレイに積載された記録材の温度を検知する温度検知手段と、スループットを制御するスループット制御手段とを有し、前記温度検知手段で検知した記録材の温度に基づいて、前記スループット制御手段でスループットを制御することを特徴とする画像形成装置。
【請求項２】
画像形成手段で記録材上に画像形成された画像を熱で定着する定着装置と、前記定着装置で定着された後に排出された記録材を積載する排紙トレイとを備えた画像形成装置において、前記排紙トレイに積載された記録材の温度を検知する温度検知手段と、定着装置の温度を制御する定着装置温度制御手段とを有し、前記温度検知手段で検知した記録材の温度に基づいて、前記定着装置温度制御手段で前記定着装置の温度を制御することを特徴とする画像形成装置。
【請求項３】
画像形成手段で記録材上に画像形成された画像を熱で定着する定着装置と、前記定着装置で定着された後に排出された記録材を積載する排紙トレイとを備えた画像形成装置において、前記排紙トレイ上に積載される記録材の積載量を検知する積載量検知手段と、スループットを制御するスループット制御手段とを有し、前記積載量検知手段で検知した記録材の積載量に基づいて、前記スループット制御手段でスループットを制御することを特徴とする画像形成装置。
【請求項４】
画像形成手段で記録材上に画像形成された画像を熱で定着する定着装置と、前記定着装置で定着された後に排出された記録材を積載する排紙トレイとを備えた画像形成装置において、前記排紙トレイ上に積載される記録材の積載量を検知する積載量検知手段と、定着装置の温度を制御する定着装置温度制御手段とを有し、前記積載量検知手段で検知した記録材の積載量に基づいて、前記定着装置温度制御手段で前記定着装置の温度を制御することを特徴とする画像形成装置。
【発明の詳細な説明】
【技術分野】
【０００１】
本発明は、記録材に画像形成可能な複写機、プリンタ等の電子写真方式画像形成装置に関する。
【背景技術】
【０００２】
排紙トレイ上での記録材の温度はトナーを定着させる高温の定着装置を通過するので、一般に室温より高くなるため、両面印刷時の記録材同士の貼り付きや、下記特許文献1のような場合の記録材同士の張り付きを防ぐために、記録材によって、定着速度を低速にしたり、定着温度を低くしたり、排紙トレイ上で記録紙が冷却される時間を伸ばすために紙間を通常より長くしたりしている。
【０００３】
【特許文献１】特開２００２−２９６９６１号公報
【特許文献２】特開２００３−３０２８７５号公報
【発明の開示】
【発明が解決しようとする課題】
【０００４】
本発明では、排紙トレイ上に記録材の温度を検知する温度センサ又は記録材の積載量を検知するセンサを設け、その検知結果に基づいて、スループットの制御をしたり、定着温度の調整をすることによって、記録材の積載性向上で排紙トレイ上での記録材の貼り付きや貼り付きに伴う記録材の落下のトラブルを未然に防止する画像形成装置を提供することを目的とする。
【課題を解決するための手段】
【０００５】
請求項１の発明は、画像形成手段で記録材上に画像形成された画像を熱で定着する定着装置と、前記定着装置で定着された後に排出された記録材を積載する排紙トレイとを備えた画像形成装置において、前記排紙トレイに積載された記録材の温度を検知する温度検知手段と、スループットを制御するスループット制御手段とを有し、前記温度検知手段で検知した記録材の温度に基づいて、前記スループット制御手段でスループットを制御することを特徴とする画像形成装置。
【０００６】
請求項２の発明は、画像形成手段で記録材上に画像形成された画像を熱で定着する定着装置と、前記定着装置で定着された後に排出された記録材を積載する排紙トレイとを備えた画像形成装置において、前記排紙トレイに積載された記録材の温度を検知する温度検知手段と、定着装置の温度を制御する定着装置温度制御手段とを有し、前記温度検知手段で検知した記録材の温度に基づいて、前記定着装置温度制御手段で前記定着装置の温度を制御することを特徴とする画像形成装置。
【０００７】
請求項３の発明は、画像形成手段で記録材上に画像形成された画像を熱で定着する定着装置と、前記定着装置で定着された後に排出された記録材を積載する排紙トレイとを備えた画像形成装置において、前記排紙トレイ上に積載される記録材の積載量を検知する積載量検知手段と、スループットを制御するスループット制御手段とを有し、前記積載量検知手段で検知した記録材の積載量に基づいて、前記スループット制御手段でスループットを制御することを特徴とする画像形成装置。
【０００８】
請求項４の発明は、画像形成手段で記録材上に画像形成された画像を熱で定着する定着装置と、前記定着装置で定着された後に排出された記録材を積載する排紙トレイとを備えた画像形成装置において、前記排紙トレイ上に積載される記録材の積載量を検知する積載量検知手段と、定着装置の温度を制御する定着装置温度制御手段とを有し、前記積載量検知手段で検知した記録材の積載量に基づいて、前記定着装置温度制御手段で前記定着装置の温度を制御することを特徴とする画像形成装置。
【発明の効果】
【０００９】
以上のように本発明により、スループットや積載性の向上で排紙トレイ上の記録材積載による貼り付きと貼り付きに伴う記録材の落下を防止できる
【発明を実施するための最良の形態】
【００１０】
以下、本発明の実施形態を図面に基づいて詳細に説明する。
【実施例１】
【００１１】
図１は、本発明の実施例１の画像形成装置断面の簡略図で、カセット部3にある記録材2を給紙ローラ4を駆動することにより給紙し、レジストローラ部9で斜行を矯正し、スキャナ12により描かれたドラム11上の潜像を転写部10にて記録材2に転写する。      
記録材2に転写されたトナー画像は、定着装置13により、定着され、排紙ローラ16を通じて排紙トレイ17上に排出される。図１のように排紙17トレイに排紙トレイ温度検知センサ18が置かれている。
図２は本発明の構成を示すブロック図で、プリンタ画像を展開するコントローラ部100と、記録材2への印字の制御とスループットを制御するスループット制御手段とを有するプリント制御部101とに分かれる。
前記スループット制御手段は画像形成された記録材の搬送間隔により画像形成枚数のスピードのスループットの制御をすることである。
【００１２】
コントローラ部100は、ネットワーク部102から画像データを受け取り、操作部103からの要求を確認しながら、プリント用画像を展開する。プリント制御部101は、メモリ104、センサ類105、定着制御部106、駆動系107を制御し、記録材2に印字を行う。
【００１３】
図３は、排紙トレイに排紙トレイ温度検知センサ18を構成した場合のスループットの制御フローチャートを示している。
【００１４】
S1において、１枚の排紙が終了したかどうかを確認し、終了していればS2に進む。
【００１５】
終了していなければ、終了するまで確認する。S2において、排紙トレイ温度検知センサ18で検知した温度が１８０℃以上かどうか判定し、１８０℃以上であれば、S3に進む。
【００１６】
１８０℃未満であるときは、S6に進み、スループットを毎分２２枚として制御を行う。S3において、排紙トレイ温度検知センサ18で検知した温度が２００℃以上かどうか判定し、２００℃以上であれば、S4に進む。
【００１７】
２００℃未満であるときは、S7に進み、スループットを毎分２０枚として制御を行う。S4において、排紙トレイ温度検知センサ18で検知した温度が２１０℃以上かどうか判定し、２１０℃以上であれば、S5に進み、スループットを毎分１０枚として制御を行う。
【００１８】
２１０℃未満であるときは、S8に進み、スループットを毎分１５枚として制御を行う。このような制御を図２のブロック図に示す、プリント制御部101にて行う。
【実施例２】
【００１９】
図４は、排紙トレイ17に排紙トレイ温度検知センサ18を構成した場合の定着装置温度の制御を示すフローチャートを示している。
【００２０】
S1において、排紙トレイ温度検知センサ18で検知した温度が１５０℃以上かどうか判定し、１５０℃以上であれば、S2に進む。１５０℃未満であるときは、S5に進み、定着装置温度を２００℃として制御を行う。
【００２１】
S2において、排紙トレイ温度検知センサ18で検知した温度が１７０℃以上かどうか判定し、１７０℃以上であれば、S3に進む。１７０℃未満であるときは、S6に進み、定着装置温度を１９５℃として制御を行う。
【００２２】
S3において、排紙トレイ温度検知センサ18で検知した温度が１８０℃以上かどうか判定し、１８０℃以上であれば、S4に進み、定着装置温度を１８０℃として制御を行う。１８０℃未満であるときは、S7に進み、定着装置温度を１９０℃として制御を行う。このような制御を図２のブロック図に示すプリント制御部101にて行う。
【実施例３】
【００２３】
図５は、本発明の実施例２の画像形成装置断面の簡略図で、排紙積載量検知センサ20と排紙トレイ温度検知センサ18を配置したものである。排紙積載量検知センサ20の位置A、Bでそれぞれ積載量中、大を示している。排紙積載量検知センサ20の位置Cは最大積載量で、この地点を検知した場合には、排出を停止する。
【００２４】
図６は、本発明の実施例３のスループット制御と定着装置温度の制御を示すフローチャートを示している。S1において、排紙積載量検知センサ20の位置Aを越えているかどうか判定し、超えている場合は、S2に進み、そうでない場合は、S7に進む。
【００２５】
S2において、排紙積載量検知センサ20の位置Bを越えているかどうか判定し、超えている場合は、S3において、スループットを毎分１０枚として制御を行う。その後、S4において、排紙トレイに配置した排紙温度検知センサ18による検知温度が１８０℃以上かどうか判定し、１８０℃以上であれば、S5に進み、定着装置温度を１５０℃として制御を行う。１８０℃未満であるときは、S6に進み、定着装置温度を１８０℃として制御を行う。
【００２６】
S7に進んだ場合は、スループットを毎分２０枚として制御を行う。その後、S8において、排紙トレイに配置した排紙温度検知センサ18による検知温度が１８０℃以上かどうか判定し、１８０℃以上であれば、S9に進む。
【００２７】
１８０℃未満であるときは、S11に進み、定着装置温度を２００℃として制御を行う。S9において、排紙トレイに配置した温度検知用サーミスタによる検知温度が２００℃以上かどうか判定し、２００℃以上であれば、S10に進み、定着装置温度を１６０℃として制御を行う。２００℃未満であるときは、S12に進み、定着装置温度を１８０℃として制御を行う。
【００２８】
S13に進んだ場合は、スループットを毎分１５枚として制御を行う。その後、S14において、排紙トレイに配置した排紙温度検知センサ18による検知温度が１８０℃以上かどうか判定し、１８０℃以上であれば、S15に進む。
【００２９】
１８０℃未満であるときは、S17に進み、定着装置温度を１９０℃として制御を行う。S15において、排紙トレイに配置した排紙温度検知センサ18による検知温度が２００℃以上かどうか判定し、２００℃以上であれば、S16に進み、定着装置温度を１５０℃として制御を行う。２００℃未満であるときは、S18に進み、定着装置温度を１７０℃として制御を行う。このような制御を図２のブロック図に示す、プリント制御部にて行う。
【図面の簡単な説明】
【００３０】
【図１】本発明の実施例１の画像形成装置断面の簡略図。
【図２】本発明の実施例１の構成を示すブロック図。
【図３】本発明の実施例１のスループット制御を示すフローチャート。
【図４】本発明の実施例２の定着装置温度制御を示すフローチャート。
【図５】本発明の実施例３の画像形成装置断面の簡略図
【図６】本発明の実施例３のスループット制御と定着装置温度の制御を示すフローチャート。
【符号の説明】
【００３１】
1    画像形成装置
2    記録材
3    カセット
4    給紙ローラ
7    MPトレイ給紙ローラ
8    レジ前センサ
9    レジストローラ
10   転写ローラ
11   ドラム
12   レーザスキャナ部
13   定着装置
16   排紙ローラ
17   排紙トレイ
18   排紙トレイ温度検知センサ
19   排紙センサ
20   排紙積載量検知センサ
100  コントローラ部
101  プリント制御部
102  ネットワーク部
103  操作部
104  メモリ
105  センサ類
106  定着制御部
駆動系
108  スループット制御手段
【図１】
2008116799.tif 000003
【図２】
2008116799.tif 000004
【図３】
2008116799.tif 000005
【図４】
2008116799.tif 000006
【図５】
2008116799.tif 000007
【図６】
2008116799.tif 000008